(57)【要約】【課題】建柱車に適していない作業環境でも作業できる分割柱建柱装置を提供する。【解決手段】下柱３に着脱可能に固定される第１の治具５と、その第１の治具５に回動可能に取り付けられる第２の治具６とを備える。第１の治具５にウインチ７を設ける。また、下柱３に金車８を取り付け、第２の治具６に第２の滑車９を取り付ける。さらに、ワイヤ10の他端部をウインチ７に固定する。そして、ワイヤ10をウインチ７から第２の滑車９および金車８に順に巻き掛け、そのワイヤ10の一端部を第２の治具６に固定した状態にて、ウインチ７によってワイヤ10を巻き取ることで、第１の治具５に対して第２の治具６が回動する。また、ワイヤ10をウインチ７から第２の滑車９に巻き掛け、そのワイヤ10の一端部を上柱に固定した状態にて、ウインチ７によってワイヤ10を巻き取ることで、上柱が吊り上げられる。【選択図】図１
0003215144.tif 000002
【実用新案登録請求の範囲】
【請求項１】
上柱と下柱と備える分割柱を建柱する際に前記下柱に前記上柱を接続するための分割柱建柱装置であって、
前記下柱に着脱可能に固定される第１の治具と、
その第１の治具に回動可能に取り付けられる第２の治具と、
一端部が前記第２の治具および前記上柱のいずれかに着脱可能に固定されるワイヤと、
前記ワイヤを他端部側から巻取可能な巻取手段と、
前記下柱に取り付けられる第１の滑車と、
前記第２の治具に取り付けられた第２の滑車とを具備し、
前記ワイヤが前記巻取手段から前記第２の滑車および前記第１の滑車に順に巻き掛けられ、そのワイヤの一端部が前記第２の治具に固定された状態にて、前記巻取手段によって前記ワイヤが巻き取られることで、前記第１の治具に対して前記第２の治具が回動されて、前記第１の治具と前記第２の治具とが折り畳まれた状態から立設された状態になり、
前記ワイヤが前記巻取手段から前記第２の滑車に巻き掛けられそのワイヤの一端部が前記上柱に固定された状態にて、前記巻取手段によって前記ワイヤが巻き取られることで、前記上柱が吊り上げられる
ことを特徴とする分割柱建柱装置。
【請求項２】
第２の治具は、第１の治具に対して着脱可能に接続されている
ことを特徴とする請求項１記載の分割柱建柱装置。
【考案の詳細な説明】
【技術分野】
【０００１】
本考案は、上柱と下柱と備える分割柱を建柱する際に前記下柱に前記上柱を接続するための分割柱建柱装置に関する。
【背景技術】
【０００２】
従来、コンクリート製または金属製の分割柱の組立や建柱においては、一般的には、例えば特許文献１の図５に示されるような、オーガー等の掘削手段を備えたクレーン車である建柱車が使用される。
【０００３】
具体的には、分割柱を設置する際には、上柱と下柱と接続した状態にて、建柱車に設けられた掘削手段で孔を掘削した後、建柱車に設けられたクレーンで柱を吊り上げ、その柱を孔に建て込んで建柱する。
【０００４】
なお、建柱車にて、下柱を建て込んでから、クレーンで上柱を吊り上げながら、その上柱と下柱とを接続させる場合もある。
【先行技術文献】
【特許文献】
【０００５】
【特許文献１】特開２００９−１６２０１９号公報
【考案の概要】
【考案が解決しようとする課題】
【０００６】
しかしながら、一般的に建柱車は、傾斜のある山間部や不整地等の作業環境では使用することができず、そのような作業環境では、基本的に人力での建柱作業になる。
【０００７】
したがって、山間部や不整地等のような建柱車に適していない作業環境でも作業できる分割柱建柱装置が求められていた。
【０００８】
本考案はこのような点に鑑みなされたもので、建柱車に適していない作業環境でも作業できる分割柱建柱装置を提供することを目的とする。
【課題を解決するための手段】
【０００９】
請求項１記載の分割柱建柱装置は、上柱と下柱と備える分割柱を建柱する際に前記下柱に前記上柱を接続するための分割柱建柱装置であって、前記下柱に着脱可能に固定される第１の治具と、その第１の治具に回動可能に取り付けられる第２の治具と、一端部が前記第２の治具および前記上柱のいずれかに着脱可能に固定されるワイヤと、前記ワイヤを他端部側から巻取可能な巻取手段と、前記下柱に取り付けられる第１の滑車と、前記第２の治具に取り付けられた第２の滑車とを具備し、前記ワイヤが前記巻取手段から前記第２の滑車および前記第１の滑車に順に巻き掛けられ、そのワイヤの一端部が前記第２の治具に固定された状態にて、前記巻取手段によって前記ワイヤが巻き取られることで、前記第１の治具に対して前記第２の治具が回動されて、前記第１の治具と前記第２の治具とが折り畳まれた状態から立設された状態になり、前記ワイヤが前記巻取手段から前記第２の滑車に巻き掛けられそのワイヤの一端部が前記上柱に固定された状態にて、前記巻取手段によって前記ワイヤが巻き取られることで、前記上柱が吊り上げられるものである。
【００１０】
請求項２記載の分割柱建柱装置は、請求項１記載の分割柱建柱装置において、第２の治具は、第１の治具に対して着脱可能に接続されているものである。
【考案の効果】
【００１１】
本考案によれば、下柱に第１の治具を固定し、その第１の治具に第２の治具を回動可能に取り付け、巻取手段に巻き取られたワイヤを第１の滑車や第２の滑車に巻き掛け、そのワイヤの一端部を第２の治具に固定して巻取手段にて巻き取ることにより、第１の治具に対して第２の治具が回動し、その後、第２の治具に固定したワイヤの一端部を上柱に固定し直してそのワイヤを巻取手段にて巻き取ることで、上柱を吊り上げて下柱に接続できるため、建柱車に適していない作業環境でも作業できる。
【図面の簡単な説明】
【００１２】
【図１】本考案の一実施の形態に係る分割柱建柱装置を示す側面図である。
【図２】同上分割柱建柱装置を用いた建柱作業の説明図である。
【図３】図２に続く建柱作業の説明図である。
【図４】図３に続く建柱作業の説明図である。
【図５】図４に続く建柱作業の説明図である。
【図６】図５に続く建柱作業の説明図である。
【考案を実施するための形態】
【００１３】
本考案の一実施の形態を図面を参照して説明する。
【００１４】
図１において、１は分割柱建柱装置であり、この分割柱建柱装置１は、所定の設置場所に分割柱２を設置するためのものである。すなわち、分割柱建柱装置１は、所定の設置場所に設置された下柱３の上側に上柱４を接続して分割柱２を建柱する際に用いられる。
【００１５】
分割柱建柱装置１は、所定の設置場所に設置された下柱３に固定される柱状の第１の治具５に、柱状の第２の治具６が回動可能に接続されている。
【００１６】
また、分割柱建柱装置１は、巻取手段としてのウインチ７が第１の治具５に設けられ、第１の滑車としての金車８が下柱３の上端部近傍に設けられ、第２の滑車９が第２の治具６の先端部に設けられている。
【００１７】
そして、分割柱建柱装置１は、第２の治具６および上柱４のいずれかにワイヤ10の一端部が着脱可能に固定され、ワイヤ10の他端部がウインチ７に巻取可能に固定される。
【００１８】
第１の治具５は、略四角筒状の鋼管である治具本体11を有している。また、その治具本体11の軸方向の一端部には第２の治具６を回動可能に取り付けるための鋼製の取付部材12が設けられている。
【００１９】
取付部材12は、平面視で略コ字状であり、治具本体11の上端部から一部が突出した状態で、取付部材12内に治具本体11が嵌め込まれるように設けられている。
【００２０】
また、治具本体11における一方側の側部にはウインチ７が配置され、治具本体11におけるウインチ７とは反対側である他方側の側部には第１の治具５を下柱３に固定するための固定部材13が設けられている。
【００２１】
なお、固定部材13は、例えば２分割した円環状のバンド部材をボルトおよびナットで締結する構成等を適用できる。
【００２２】
そして、図２に示すように、第１の治具５は、治具本体11が略鉛直な状態で固定部材13にて下柱３に固定されることで、下柱３に略平行な設置状態が保持される。
【００２３】
また、下柱３に固定された第１の治具５は、略コ字状の取付部材12の開放方向が下柱３に対して外側を向いた状態で治具本体11の上端部に配置され、ウインチ７が治具本体11における下柱３とは反対側の側面に設けられている。
【００２４】
第２の治具６は、略コ字状の取付部材12における対向した側面部同士の離間距離よりやや小さい略四角筒状の鋼管である治具本体14を有している。
【００２５】
治具本体14は、軸方向の一端部である取付部材12とは反対側の先端部に第２の滑車９が設けられ、軸方向の他端部である基端部が取付部材12に回動可能かつ着脱可能に軸支される。
【００２６】
また、治具本体14は、その治具本体14の先端部と基端部との間に、ワイヤ10の一端部を固定可能な例えばフック状のワイヤ固定部15が設けられている。
【００２７】
ウインチ７は、第１の治具５の治具本体11に固定された枠部17と、この枠部17に対して回転可能に設けられた図示しない円柱状の巻付部と、この巻付部を回転させるハンドル部18とを有している。
【００２８】
そして、巻付部にはワイヤ10の他端部が固定され、ハンドル部18を操作して回転させることで、ワイヤ10が巻付部に巻き付けられて、ワイヤ10を他端部側から巻き取ることができる。
【００２９】
そして、ワイヤ10は、ウインチ７に固定された他端部側から第２の滑車９および金車８に順に巻き掛けられた状態にて、一端部がワイヤ固定部15に固定される。すなわち、図１に示すように、ワイヤ10は、他端部が固定されたウインチ７から一端部側が第２の滑車９および金車８に順に巻き掛けられ、一端部が第２の治具６に固定されて、ウインチ７により他端部側へ巻取可能な状態となる。また、この状態でウインチ７によりワイヤ10を巻き取ることで、図３に示すように、第２の治具６が第１の治具５に対して回動する。
【００３０】
さらに、治具本体14は、ワイヤ固定部15のやや基端部側で下柱３側の側面に、下柱３に固定するための固定部材16が設けられている。
【００３１】
そして、第２の治具６を下柱３および第１の治具５と略平行にした状態にて、下柱３に固定部材16を固定することで、第２の治具６が鉛直に立設された状態が保持される。
【００３２】
金車８および第２の滑車９は、第２の治具６の回動方向に沿って互いに同一方向に回転するように設置されており、それぞれワイヤ10を着脱自在に巻掛可能である。
【００３３】
また、金車８は、下柱３に着脱可能に取り付けられており、建柱作業をする際に下柱３に取り付けられ、下柱３に上柱４を接続した後に下柱３から取り外される。
【００３４】
そして、分割柱建柱装置１は、図３に示すように、ワイヤ10が第２の滑車９および金車８に巻き掛けられそのワイヤ10の一端部が第２の治具６のワイヤ固定部15に固定された状態にて、ウインチ７によってワイヤ10が巻き取られることで、第１の治具５に対して第２の治具６が回動される。
【００３５】
また、図４に示すように、ワイヤ10が第２の滑車９に巻き掛けられそのワイヤ10の一端部が上柱４に固定された状態にて、ウインチ７によってワイヤ10が巻き取られることで、図５に示すように、上柱４が吊り上げられる。
【００３６】
次に、上記一実施の形態における作用等を説明する。
【００３７】
分割柱２を建柱する際には、まず、分割柱２の所定の設置場所に建て込み用の孔を例えば手掘り等で掘削し、下柱３を設置する。
【００３８】
図２に示すように、その設置された下柱３に沿って第１の治具５を立設し、その第１の治具５を固定部材13によって下柱３に固定する。
【００３９】
また、第１の治具５における取付部材12に第２の治具６を取り付け、ウインチ７からワイヤ10を引き出し、第２の滑車９および金車８に順次巻き掛け、第２の治具６のワイヤ固定部15にワイヤ10の一端部を固定する。
【００４０】
このようにワイヤ10を配設した状態で、そのワイヤ10をウインチ７によって巻き取ることで、図３に示すように第２の治具６を第１の治具５に対して取付部材12側を中心に回動させ、略鉛直に立設した状態にするとともに、その第２の治具６を下柱３に固定部材16によって固定する。
【００４１】
次いで、第２の治具６のワイヤ固定部15からワイヤ10の一端部を取り外すとともに、金車８からワイヤ10を取り外し、図４に示すように、ワイヤ10の一端部を上柱４に固定する。
【００４２】
また、ウインチ７によりワイヤ10を巻き取り、図５に示すように上柱４を吊り上げて、図６に示すように、下柱３に対して上柱４を接続する。
【００４３】
下柱３と上柱４とを接続し分割柱２を建柱した後には、必要に応じて分割柱２から分割柱建柱装置１を取り外す。
【００４４】
そして、上記分割柱建柱装置１によれば、下柱３に第１の治具５を固定し、その第１の治具５に第２の治具６を回動可能に取り付け、ウインチ７に巻き取られたワイヤ10を金車８や第２の滑車９に巻き掛け、そのワイヤ10の一端部を第２の治具６に固定してウインチ７にて巻き取ることにより、第１の治具５に対して第２の治具６が回動して、第２の治具６が略鉛直な状態となり、その後、第２の治具６に固定したワイヤ10の一端部を上柱４に固定し直してそのワイヤ10をウインチ７にて巻き取ることで、上柱４を吊り上げて下柱３に接続できる。すなわち、分割柱建柱装置１は、下柱３に対して組み付けるように設置できるため、様々な作業環境に適用しやすく、例えば山間部や不整地等のように建柱車に適していない作業環境でも作業できる。
【００４５】
また、第２の治具６が第１の治具５に対して着脱可能であることにより、作業環境に対してよりフレキシブルに対応して設置できる。
【００４６】
なお、上記一実施の形態では、第２の治具６が第１の治具５に着脱可能に取り付けられる構成としたが、このような構成には限定されず、第２の治具６は第１の治具５に対して回動可能であれば取り付けられたままの構成にしてもよい。
【符号の説明】
【００４７】
１    分割柱建柱装置
２    分割柱
３    下柱
４    上柱
５    第１の治具
６    第２の治具
７    巻取手段としてのウインチ
８    第１の滑車としての金車
９    第２の滑車
10    ワイヤ
【図１】
0003215144.tif 000003
【図２】
0003215144.tif 000004
【図３】
0003215144.tif 000005
【図４】
0003215144.tif 000006
【図５】
0003215144.tif 000007
【図６】
0003215144.tif 000008